(57)【要約】【課題】バッテリー装置をバッテリー装着部に確実に装着しつつ操作性を向上させる上で有利なバッテリー装置および電子機器を提供する。【解決手段】バッテリー装置１００のケース１０の厚さ方向Ｈの一方の面は平坦な底面１００８として形成されている。幅方向Ｗ両側の底面１００８箇所には複数の係止片１０１２が長さ方向Ｌに間隔をおいて幅方向Ｗ外側に向かってそれぞれ突出形成されている。係止片１０１２は、ケース１０の底面１００８を電子機器のバッテリー装着部の装着面に合わせケース１０の長さ方向Ｌに該ケース１０をスライドさせることで前記バッテリー装着部の係止爪に係止し前記バッテリー装着部においてケース１０の厚さ方向Ｈにおける位置を位置決めするように形成されている。【選択図】図１
2008153241.tif 000002
【特許請求の範囲】
【請求項１】
幅と厚さと長さを有するケースと、前記ケースの内部に設けられた充電池部と、前記ケースの表面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、
前記ケースの幅方向の両側箇所には、前記幅方向の外方に突出しつつ前記長さ方向に延在し前記ケースの底面を前記装着面に合わせ前記ケースの長さ方向に該ケースをスライドさせることで前記バッテリー装着部の係止爪に係止し前記バッテリー装着部において前記ケースの厚さ方向における位置を位置決めする係止片が前記長さ方向に間隔をおいて３つ以上設けられている、
ことを特徴とするバッテリー装置。
【請求項２】
前記バッテリー側端子は前記長さ方向における前記ケースの端部に設けられ、前記複数の係止片のうち２つの係止片は、前記ケースの長さ方向の端部寄りの箇所に設けられ、残りの１つの係止片は、前記バッテリー側端子が位置する前記ケースの端部寄りに設けられた係止片に近づいた箇所に設けられていることを特徴とする請求項１記載のバッテリー装置。
【請求項３】
前記バッテリー装着部にバッテリー装置が装着された状態で、前記ケースの底面が前記装着部の装着面に合わされることで前記装着面方向への前記バッテリー装置の動きが規制され、前記係止爪と係止片が係止することで前記装着面から離れる方向への前記バッテリー装置の動きが規制されることを特徴とする請求項１記載のバッテリー装置。
【請求項４】
前記ケースは前記幅方向の寸法が均一で長さ方向に延在する本体部と、前記本体部の幅方向の中央部で厚さ方向の一方に設けられ前記本体部の幅よりも小さい寸法の幅で前記長さ方向に延在する底部とを有し、前記底面は前記底部の面により形成され、前記複数の係止片は前記幅方向両側の前記底面箇所から突出形成され、前記各係止片と、前記幅方向の両側に位置する前記底部の側面と、前記本体部が底部の側面に臨む面とで前記長さ方向に延在する凹部が複数形成され、前記各係止爪は前記各凹部に挿入されることで前記係止片に係止することを特徴とする請求項１記載のバッテリー装置。
【請求項５】
前記複数の係止片のうちの少なくとも２つの係止片が位置する前記底部の側面箇所に、前記幅方向の外方に突出する凸部が設けられ、前記凸部は前記係止片よりも小さい突出寸法で形成され、前記係止爪が前記係止片に係合した状態で、前記係止爪と前記凸部が接触し前記バッテリー装着部においてケースの幅方向におけるバッテリー装置の位置が位置決めされることを特徴とする請求項４記載のバッテリー装置。
【請求項６】
前記複数の凹部のうちの少なくとも一つの凹部には、該凹部の長さ方向の端部を塞ぐストッパ壁が設けられていることを特徴とする請求項４記載のバッテリー装置。
【請求項７】
前記係止片は前記ケースの底面の幅方向の両側部に設けられていることを特徴とする請求項１記載のバッテリー装置。
【請求項８】
バッテリー装置が装脱可能に装着されるバッテリー装着部を有する電子機器であって、
前記バッテリー装置は、幅と厚さと長さを有するケースと、前記ケースの内部に設けられた充電池部と、前記ケースの前記厚さ方向の一方に位置する底面と、前記ケースの表面に設けられ前記充電池部に接続されたバッテリー側端子とを備え、
前記バッテリー装置のケースの前記幅方向の両側箇所には、前記幅方向の外方に突出しつつ前記長さ方向に延在する係止片が前記長さ方向に間隔をおいて３つ以上設けられ、
前記バッテリー装着部は、前記バッテリー側端子に接触する装着部側端子と、前記底面が合わされる装着面とを備え、
前記装着面は、前記ケースの幅に対応した寸法の幅と、前記ケースの長さよりも大きい寸法の長さを有し、
前記バッテリー装着部の装着面上で該装着面の幅方向の両側箇所には、前記ケースの幅方向及び長さ方向を前記装着面の幅方向及び長さ方向に一致させ前記ケースの底面を前記装着面に合わせ前記ケースの長さ方向に該ケースをスライドさせることで前記係止片に係止し前記装着面上での前記ケースの厚さ方向における位置を位置決めする係止爪が前記係止片に対応した数で設けられている、
ことを特徴とする電子機器。
【請求項９】
前記バッテリー側端子は前記長さ方向における前記ケースの端部に設けられ、前記複数係止片のうち２つの係止片は、前記ケースの長さ方向の端部寄りの箇所に設けられ、残りの１つの係止片は、前記バッテリー側端子が位置する前記ケースの端部寄りに設けられた係止片に近づいた箇所に設けられ、前記装着部側端子は前記長さ方向における前記装着面の端部に設けられ、前記複数の係止爪のうち２つの係止爪は、前記装着面の長さ方向の端部寄りの箇所に設けられ、残りの１つの係止爪は、前記装着部側端子が位置する前記装着面の端部寄りに設けられた係止爪に近づいた箇所に設けられていることを特徴とする請求項８記載の電子機器。
【請求項１０】
前記ケースの底面が前記装着面に合わされることで前記装着面方向への前記バッテリー装置の動きが規制され、前記係止爪と係止片が係止することで前記装着面から離れる方向への前記バッテリー装置の動きが規制されることを特徴とする請求項８記載の電子機器。
【請求項１１】
前記ケースは前記幅方向の寸法が均一で長さ方向に延在する本体部と、前記本体部の幅方向の中央部で厚さ方向の一方に設けられ前記本体部の幅よりも小さい寸法の幅で前記長さ方向に延在する底部とを有し、前記底面は前記底部の面により形成され、前記複数つの係止片は前記幅方向両側の前記底面箇所から突出形成され、前記各係止片と、前記幅方向の両側に位置する前記底部の側面と、前記本体部が底部の側面に臨む面とで前記長さ方向に延在する複数の凹部が形成され、前記複数の係止爪は前記各凹部に挿入されることで前記係止片に係止することを特徴とする請求項８記載の電子機器。
【請求項１２】
前記複数の係止片のうちの少なくとも２つの係止片が位置する前記底部の側面箇所に、前記幅方向の外方に突出する凸部が設けられ、前記凸部は前記係止片よりも小さい突出寸法で形成され、前記係止爪が前記係止片に係合した状態で、前記係止爪と前記凸部が接触し前記バッテリー装着部においてケースの幅方向におけるバッテリー装置の位置が位置決めされることを特徴とする請求項１１記載の電子機器。
【請求項１３】
前記複数の凹部のうちの少なくとも一つの凹部には、該凹部の長さ方向の端部を塞ぐストッパ壁が設けられていることを特徴とする請求項１１記載の電子機器。
【発明の詳細な説明】
【技術分野】
【０００１】
本発明はバッテリー装置およびバッテリー装置により動作する電子機器に関する。
【背景技術】
【０００２】
電子機器に装着されるバッテリー装置として、幅と厚さと長さを有するケースと、前記ケースの内部に設けられた充電池部と、前記ケースの表面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるように構成されたものが提供されている（例えば特許文献１参照）。
このようなバッテリー装置のバッテリー装着部へ装着は、バッテリー装置のケースおよびバッテリー装着部のそれぞれに設けられた係止部が互いに係止することによってなされている。
【特許文献１】特許公報第２５０８４４７号
【発明の開示】
【発明が解決しようとする課題】
【０００３】
しかしながら、上述のバッテリー装置および電子機器では、前記係止部が前記ケースの長さ方向の両端の２箇所に設けられているため、バッテリー装置をバッテリー装着部に確実に保持させるために、前記ケースの長さ方向において係止部が互いに接触する寸法を長く設定することが必要であり、このため係止部の係止およびその解除を行なう際のバッテリー装置の移動ストロークが大きくなり操作性を向上させる上で不利があった。
また、前記バッテリー装置の係止部が長さ方向の両端２箇所にしか設けられていないため、バッテリー装置をバッテリー装着部に確実に装着する上で不利があった。
また、係止部が前記ケースの長さ方向の２箇所に設けられており、かつ、前記バッテリー側端子もケースの長さ方向の両端の一方の箇所に設けられているため、前記バッテリー装置がバッテリー装着部に不完全に装着されてしまう不都合があった。すなわち、前記２つの係止部のうちバッテリー側端子寄りの係止部のみがバッテリー装着部側の係止部に係止され、バッテリー側端子と反対側の係止部がバッテリー装着部側の係止部に係止されず、バッテリー装置がバッテリー装着部に対して傾斜した状態で、かつ、バッテリー側端子が装着部側端子に不完全に接触して通電がなされるという状態が生じるおそれがあった。
本発明はこのような事情に鑑みなされたものであり、その目的は、バッテリー装置をバッテリー装着部に確実に装着できバッテリー装置をバッテリー装着部に装着する際の操作性を向上させる上で有利なバッテリー装置および電子機器を提供することにある。
【課題を解決するための手段】
【０００４】
上述の目的を達成するため、本発明のバッテリー装置は、幅と厚さと長さを有するケースと、前記ケースの内部に設けられた充電池部と、前記ケースの表面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、前記ケースの幅方向の両側箇所には、前記幅方向の外方に突出しつつ前記長さ方向に延在し前記ケースの底面を前記装着面に合わせ前記ケースの長さ方向に該ケースをスライドさせることで前記バッテリー装着部の係止爪に係止し前記バッテリー装着部において前記ケースの厚さ方向における位置を位置決めする係止片が前記長さ方向に間隔をおいて３つ以上設けられていることを特徴とする。
また、本発明の電子機器は、バッテリー装置が装脱可能に装着されるバッテリー装着部を有する電子機器であって、前記バッテリー装置は、幅と厚さと長さを有するケースと、前記ケースの内部に設けられた充電池部と、前記ケースの前記厚さ方向の一方に位置する底面と、前記ケースの表面に設けられ前記充電池部に接続されたバッテリー側端子とを備え、前記バッテリー装置のケースの前記幅方向の両側箇所には、前記幅方向の外方に突出しつつ前記長さ方向に延在する係止片が前記長さ方向に間隔をおいて３つ以上設けられ、前記バッテリー装着部は、前記バッテリー側端子に接触する装着部側端子と、前記底面が合わされる装着面とを備え、前記装着面は、前記ケースの幅に対応した寸法の幅と、前記ケースの長さよりも大きい寸法の長さを有し、前記バッテリー装着部の装着面上で該装着面の幅方向の両側箇所には、前記ケースの幅方向及び長さ方向を前記装着面の幅方向及び長さ方向に一致させ前記ケースの底面を前記装着面に合わせ前記ケースの長さ方向に該ケースをスライドさせることで前記係止片に係止し前記装着面上での前記ケースの厚さ方向における位置を位置決めする係止爪が前記係止片に対応した数で設けられていることを特徴とする。
【発明の効果】
【０００５】
そのため、本発明のバッテリー装置および電子機器によれば、バッテリー装置のケースの底面をバッテリー装着部の装着面に合わせケースの長さ方向に該ケースをスライドさせることでバッテリー装置の３つ以上設けられた係止片をバッテリー装着部の係止爪に係止させるので、バッテリー装置の装着状態を確実に保持しつつ係止片および係止爪の互いに係止する部分の長さ方向の寸法を短縮することができ、これによりバッテリー装置のスライドストロークを短縮しバッテリー装置のバッテリー装着部への装脱の操作性を向上する上で有利となる。
また、係止片および係止爪がケースの長さ方向に間隔をおいて３つ以上設けられているので、バッテリー装置がバッテリー装着部に対して斜めに装着されようとすると、バッテリー装着部に対してバッテリー装置が大きく傾くことになり、したがってユーザーは装着が不完全であると瞬時に判断でき、バッテリー装置のバッテリー装着部への装着を確実に行なう上で有利となる。
【発明を実施するための最良の形態】
【０００６】
バッテリー装置のバッテリー装着部に対する装着時の操作性を向上させるという目的を、バッテリー装置に３つ以上の係止片を設けるとともに電子機器のバッテリー装着部に前記係止片に対応する数の係止爪を設けることによって実現した。
【実施例１】
【０００７】
次に本発明の実施例１について図面を参照して説明する。
本実施例では、本発明のバッテリー装置が電子機器としての撮像装置に装着されて使用される場合について説明する。
図１は実施例１のバッテリー装置を下方から見た斜視図、図２は実施例１のバッテリー装置の構成を示す分解斜視図である。
【０００８】
まず、バッテリー装置について説明する。
図１に示すように、バッテリー装置１００は、ケース１０と、ケース１０の内部に設けられた充電池部１２（図２参照）と、ケース１０の内部に設けられた制御回路基板１６と、ケース１０に設けられたバッテリー側端子１４とを備えている。
【０００９】
図２に示すように、充電池部１２は、４つの円柱状の電池セル１２０２と、これら各電池セル１２０２の電極を接続する複数の配線部材１２０４と、各電池セル１２０２の側面の間に介在される保持部材１２０６とを有している。
制御回路基板１６は、各電池セル１２０２の電極と配線部材１２０４を介して接続されることで充電池部１２に取着されており、ＣＰＵ、ＲＡＭおよびＲＯＭ、インターフェースなどを含むマイクロコンピュータを有し、バッテリー側端子１４を介して外部の電子機器との間でデータ通信を行なうように構成されている。前記データ通信としては該バッテリー装置１４の容量や特性を示す識別データの出力動作が含まれる。該識別データとしては、例えば、充電器に装着したときに急速充電が可能であるか否かを示すデータ、適正な充電電流の値、あるいは充電電流の上限値などを示すデータなどがある。
バッテリー側端子１４はケース１０の表面に設けられ、ケース１０の内部において制御回路基板１６に取着され各配線部材１２０４を介して電池セル１２０２の電極に導通され、該バッテリー端子１４を介して各電池セル１２０２から外部の電子機器に対する動作電流の供給、あるいは、充電器から各電池セル１２０２に対する充電電流の供給が行なわれるように構成されている。
なお、充電池部１２を構成する電池セル１２０２の数量および形状はバッテリー装置１００の容量や特性によって異なることは勿論である。
【００１０】
次にケース１０の構成について詳細に説明する。
図３（Ａ）はバッテリー装置１００の平面図、（Ｂ）は（Ａ）のＢ矢視図、（Ｃ）は（Ａ）のＣ矢視図、（Ｄ）は（Ａ）のＤ矢視図、（Ｅ）は（Ｂ）のＥＥ線断面図である。図４（Ａ）はバッテリー装置１００の底面図、（Ｂ）は（Ａ）のＢ矢視図、（Ｃ）は（Ｂ）のＣＣ線断面図である。図５は図３（Ｃ）のＦ部拡大図、図６は識別部１０３６近傍の拡大斜視図である。
ケース１０は、幅方向Ｗの寸法が均一で長さ方向Ｌに延在する本体部１００２と、本体部１００２の幅方向Ｗの中央部で厚さ方向Ｈの一方に設けられ本体部１００２の幅よりも小さい寸法の均一幅で長さ方向Ｌに延在する底部１００４とを有している。
本実施例では、ケース１０は、本体部１００２の底部１００４寄り箇所および底部１００４を除いた第１の分割体と、本体部１００２の底部１００４寄り箇所および底部１００４を含む第２の分割体とで構成され、これら分割体が合わせ面１００５で合わされることで形成され、充電池部１２や制御回路基板１６はこれら分割体の内部に収容されている。
【００１１】
図２、図３、図４に示すように、ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。本実施例では、本体部１００２の幅方向Ｗの両側の側面が前記側面１００６を構成し、底部１００４の底面が前記底面１００８を構成している。
幅方向Ｗ両側の底面１００８箇所には複数の係止片１０１２が、本実施例では３つの係止片１０１２Ａ、１０１２Ｂ、１０１２Ｃが長さ方向Ｌに間隔をおいて幅方向Ｗ外側に向かってそれぞれ突出形成されている。厚さ方向Ｈの一方の端部に位置する各係止片１０１２（１０１２Ａ、１０１２Ｂ、１０１２Ｃ）箇所は、底面１００８と同一面上に位置する底面として形成され、厚さ方向Ｈの他方の端部に位置する各係止片１０１２（１０１２Ａ、１０１２Ｂ、１０１２Ｃ）箇所は底面１００８と平行する同一面上に位置するように形成されている。
そして、このように３つの係止片１０１２（１０１２Ａ、１０１２Ｂ、１０１２Ｃ）が設けられることで、各係止片１０１２（１０１２Ａ、１０１２Ｂ、１０１２Ｃ）と、幅方向Ｗの両側に位置する底部１００４の側面１０１６と、本体部１００２が底部１００４に臨む面１０１４とにより長さ方向Ｌに延在する凹部１０１０が幅方向Ｗ両側の底面１００８箇所にそれぞれ３つ形成されている。
これらの係止片１０１２（１０１２Ａ、１０１２Ｂ、１０１２Ｃ）は、ケース１０の底面１００８を電子機器のバッテリー装着部の装着面に合わせケース１０の長さ方向Ｌに該ケース１０をスライドさせることでバッテリー装着部の係止爪に係止しバッテリー装着部においてケース１０の厚さ方向Ｈにおける位置を位置決めするように形成されている。
バッテリー側端子１４は、底面１００８の箇所で長さ方向Ｌの一端に設けられている。
３つの係止片１０１２（１０１２Ａ、１０１２Ｂ、１０１２Ｃ）のうち２つの係止片１０１２Ａ、１０１２Ｃは、ケース１０の長さ方向Ｌの端部寄りの箇所に設けられ、残りの１つの係止片１０１２Ｂは、バッテリー側端子１４が位置するケース１０の端部寄りに設けられた係止片１０１２Ａに近づいた箇所に設けられている。
【００１２】
本実施例では、２つの係止片１０１２Ａ、１０１２Ｂに対応する底部１００４の側面１０１６箇所に、該側面１０１６から幅方向Ｗの外方に突出する２つの凸部１０１８がそれぞれ設けられ、２つの凸部１０１８は係止片１０１２Ａ、１０１２Ｂよりも小さい突出寸法で形成されている。
２つの凸部１０１８のうち、一方の凸部１０１８によって、係止片１０１２Ａと、本体部１００２が底部１００４に臨む面１０１４と、幅方向Ｗの両側に位置する底部１００４の側面１０１６とが互いに接続され、他方の凸部１０１８によって、係止片１０１２Ｂと、面１０１４と、側面１０１６とが互いに接続されていることから、これら２つの凸部１０１８によって係止片１０１２Ａ、１０１２Ｂの機械的強度を向上する上で有利となっている。
また、残りの１つの係止片１０１２Ｃに対応する底部１００４の側面１０１６箇所でバッテリー側端子１４が設けられた箇所とは反対側の箇所に、凹部１０１０の長さ方向Ｌの端部を塞ぐストッパ壁１０２０が設けられている。ストッパ壁１０２０は、バッテリー装置１００のバッテリー装着部への装着の際、バッテリー装置１００の長さ方向の向きが正規の向きでない場合に、バッテリー装着部の係止爪に当たりバッテリー装置１００の誤った向きでの装着を阻止するものである。
ストッパ壁１０２０により、係止片１０１２Ｃと、面１０１４と、側面１０１６とが互いに接続されていることから、ストッパ壁１０２０によって係止片１０１２Ｃの機械的強度を向上する上で有利となっている。
【００１３】
また、本実施例では、図１に示すように、ケース１０の長さ方向Ｌの両端の端面のうちバッテリー側端子１４が設けられた側の本体部１００２および底部１００４の端面は底面１００８と直交する平坦な端面１０２２として形成されている。そして、この端面１０２２のバッテリー側端子１４から厚さ方向Ｈに離れた箇所に、厚さ方向Ｈの寸法が均一で、かつ、幅方向Ｗに直線状に延在する凸部１０２４が膨出形成されている。凸部１０２４は、バッテリー側端子１４に対応した箇所でバッテリー側端子１４の少なくとも電極が配置されている部分の長さＸ１よりも大きな寸法の長さＸ２で形成されている。
また、図１に示すように、底面１００８には凹部１０２８が形成され、機銘板１０２６がこの凹部１０２８に貼付され、機銘板１０２６の表面と底面１００８は同一面上か、機銘板１０２６の表面が底面１００８よりもケース１０の内側に位置するように構成されている。凹部１０２８の長さ方向Ｌのうちバッテリー側端子１４と反対側に位置する箇所から長さ方向Ｌに沿って底面１００８と同じ面をなす位置決め凸部１０３０が形成され、この凸部１０３０は機銘板１０２６の位置決め溝１０２７に挿入されている。
また、図４（Ａ）、（Ｂ）に示すように、ケース１０の長さ方向Ｌの両端の端面のうちバッテリー側端子１４と反対側に位置する本体部１００２の端面は底面１００８と直交する平坦な端面１０３２として形成され、バッテリー側端子１４と反対側に位置する底部１００４の端面は前記端面１０３２よりもケース１０の内側に変位した箇所で該端面１０３２と平行する平坦な端面１０３４として形成されている。したがって、ケース１０の長さ方向Ｌでバッテリー側端子１４と反対側に位置する端部の本体部１００２と底部１００４の境の部分にはこれら端面１０３２、１０３４により欠部１０３５が形成されている。
また、図１、図５、図６に示すように、バッテリー側端子１４を幅方向Ｗで挟む底部１００４の底面１００８の両側箇所には２つの識別部１０３６が形成されている。これら識別部１０３６は、厚さ方向Ｈおよび長さ方向Ｌに開放された凹部１０３８として形成され、あるいは、厚さ方向Ｈに開放されかつ長さ方向Ｌに閉塞された凹部１０４０として形成される。識別部１０３６は、電子機器側に設けられた識別手段によって識別され、その識別は、凹部１０３８、１０４０の形状や凹部１０３８の長さ方向Ｌの寸法に基づいてなされる。
なお、凹部１０３８を構成する面のうち、凹部１０１０に近接している面部分を傾斜面１０４２とすることで、凹部１０１０と凹部１０３８との間の肉厚寸法を確保し係止片１０１２Ａの機械的強度を確保している。
【００１４】
次に撮像装置２００について説明する。
図７はバッテリー装置１００が外付けされる撮像装置２００の斜視図、図８は撮像装置２００のバッテリー装着部の拡大図、図９はバッテリー装置１００が取着された状態を示す撮像装置２００の斜視図である。
図７に示すように、撮像装置２００はケース２４と、ケース２４の前部に組み込まれた光学系２６と、該光学系２６で捉えた被写体像を撮像する不図示の撮像素子と、撮像素子で撮像された画像を表示する液晶表示部２８と、撮像素子で撮像された画像を記録媒体に記録および／または再生する不図示の記録再生部と、前記撮像素子、液晶表示部２８、記録再生部に電源を供給するバッテリー装置１００などを含んで構成されている。
ケース２４の後部には、バッテリー装置１００が着脱可能に装着されるバッテリー装着部３０が設けられている。
バッテリー装着部３０は、平坦な装着面３００２と、装着面３００２に設けられた複数の係止爪３００４（３００４Ａ、３００４Ｂ、３００４Ｃ）と、バッテリー側端子１４に接触可能な装着部側端子３２と、装着面３００２に設けられた係合凸部３４とを有している。
装着面３００２は、バッテリー装置１００のケース１０の底面１００８の幅に対応した幅と、底面１００８の長さよりも大きな寸法の長さを有し、装着面３００２の周囲から側面３００８が起立されている。
装着部側端子３２は載置面３００２の長さ方向における光学系２６とは反対側の端部に設けられている。
係合凸部３４は装着面３００２の長手方向で装着部側端子３２とは反対側の箇所に、装着面３００２に対して出没可能に設けられ、載置面３００２から突出する方向に常時付勢され、不図示のロック解除ボタンの操作により載置面３００２の下方に没入するように構成されている。
【００１５】
係止爪３００４（３００４Ａ、３００４Ｂ、３００４Ｃ）はバッテリー装置１００の係止片１０１２に対応した数で設けられ、本実施例では装着面３００２の幅方向の両側箇所にそれぞれ３つずつ設けられ、係止片１０１２（１０１２Ａ、１０１２Ｂ、１０１２Ｃ）に係止可能に形成されている。
各係止爪３００４（３００４Ａ、３００４Ｂ、３００４Ｃ）は、図１０に示すように、載置面３００２から起立する縦壁３００４Ｅと、縦壁３００４Ｅの先端から載置面３００２に平行するように突出する横壁３００４Ｆとを備えている。
３つの係止爪３００４（３００４Ａ、３００４Ｂ、３００４Ｃ）のうち２つの係止爪３００４Ａ、３００４Ｃは、装着面３００２の長さ方向の端部寄りの箇所に設けられ、残りの１つの係止爪３００４Ｂは、装着部側端子３２が位置する装着面３００２の端部寄りに設けられた係止爪３００４Ａに近づいた箇所に設けられている。
【００１６】
そして、ケース１０の幅方向Ｗ及び長さ方向Ｌを装着面３００２の幅方向及び長さ方向に一致させ、バッテリー装置１００のバッテリー側端子１４をバッテリー装着部３０の装着部側端子３２に臨ませるとともに、バッテリー装置１０の底面１００８をバッテリー装着部３０の装着面３００２に臨ませ、バッテリー装置１００の各係止片１０１２（１０１２Ａ、１０１２Ｂ、１０１２Ｃ）が、各係止爪３００４（３００４Ａ、３００４Ｂ、３００４Ｃ）に対して前記長さ方向Ｌに沿ってそれぞれ離間した位置とし、この状態で、バッテリー装置１０の底面１００８をバッテリー装着部３０の装着面３００２に当て付け、バッテリー装置１００をケースの長さ方向でバッテリー側端子１４が装着部側端子３２に近接させる方向にスライドさせる。
これにより、複数の係止爪３００４が対応する凹部１０１０に挿入されて係止片１０１２に係止し、ケース１０の底面１００８が装着面３００２に合わされることで装着面３００２方向へのバッテリー装置１００の動きが規制され、係止爪３００４と係止片１０１２が係止することで装着面３００２から離れる方向へのバッテリー装置１００の動きが規制されるように構成されている。この場合、係止爪３００４と係止片１０１２が係合することで、バッテリー装置１００の装着面３００２方向への動きおよび装着面３００２から離れる方向への動きの双方を規制するようにしてもよい。
【００１７】
バッテリー装置１００は、係止爪３００４と係止片１０１２が係止した状態でケース１０の長さ方向Ｌの２つの端面のうちバッテリー側端子１４側の端面１０２２がバッテリー装着部３０の側面３００８に当接し、係合凸部３４がバッテリー装置１００の欠部１０３５に係合することでケース１０の長手方向の動きが規制され、これによりバッテリー装着部３０におけるバッテリー装置１００の装着状態が得られ、バッテリー装置１００が保持されることになる。
本実施例では、係止爪３００４と係止片１０１２が係止した状態で係止爪３００４の先端と凸部１０１８の先端とが接触し前記幅方向Ｗにおけるバッテリー装置１００の動きが規制されている。この場合、係止爪３００４の先端と凸部１０１８の先端とを接触させずに、バッテリー装置１００のケース１０の側面１００６をバッテリー装着部３０の側面３００８に接触させるなどその他のバッテリー装置１００の箇所とバッテリー装着部３０の箇所を接触させることで前記幅方向Ｗにおけるバッテリー装置１００の動きを規制するようにしてもよい。
そして、バッテリー装置１００がバッテリー装着部３０に装着されることで、バッテリー装置１００のバッテリー側端子１４とバッテリー装着部３０の装着部側端子３２とが接触する。
【００１８】
このようにバッテリー装置１００がバッテリー装着部３０に装着されると、図１１に示すように、バッテリー装置１００のバッテリー側端子１４側の端面１０２２と、該端面１０２２に対向する撮像装置２００のケース２４箇所（凹部３００６の側面３００８）との間に隙間が形成されることがある。
この場合、凹部３００６の側面３００８に凹溝３０１０を形成しておき、この凹溝にバッテリー装置１００の凸部１０２４を挿入することで前記隙間を凸部１０２４により遮断できる。このため、前記隙間部分から例えば導電性を有する異物などが侵入してバッテリー側端子１４と装着部側端子３２との接続部分に接触することを確実に防止する上で有利となる。
【００１９】
また、図１２に示すように、バッテリー装着部３０に装着された状態のバッテリー装置１００の欠部１０３５に対して接離する方向にスライドし、該欠部１０３５に接近する方向にばねなどの付勢部材により常時付勢されたロック爪２００８をケース２４に設け、該ロック爪２００８が欠部１０３５に係合することでバッテリー装置１００のバッテリー装着部３０からの脱落を防止し、バッテリー装置１００の欠部１０３５とロック爪２００８の係合を解除することで、バッテリー装置１００のバッテリー装着部３０からの取り外しが可能となるように構成することもできる。
この場合、バッテリー装置１００はその欠部１０３５が端面１０３２よりもバッテリー装置１００の内側に変位しているため、ロック爪２００８は、ケース２４の外面よりもケース２４の内側に変位した箇所に設けることができ、撮像装置２００のケース２４の外面から外方に突出させることなくロック爪２００８を構成することができる。したがって、撮像装置２００の小型化を図るとともに、デザイン性を向上させる上で有利となる。
また、この場合、ロック爪２００８の欠部１０３５に係合する箇所が常時バッテリー装置１００の底面１００８に接近する方向に付勢されているため、バッテリー装置１００をバッテリー装着部３０に装着する際、あるいは、バッテリー装置１００をバッテリー装着部３０から取り外す際、バッテリー装置１００の底面１００８を装着面３００６に沿ってスライドさせると、前記付勢によって底面１００８向きに突出するロック爪２００８の先端が底面１００８に貼着された機銘板１０２６などのラベル表面に当接し、摩擦により機銘板１０２６などの表面の印刷部分が擦れて消えてしまうおそれがある。
この場合、ロック爪２００８を、その先端が位置決め凸部１０３０に当接するように配設すれば、ロック爪２００８の先端が位置決め凸部１０３０の部分に当接し機銘板１０２６の表面には当接しないので、機銘板１０２６の表面が損傷や汚損を受けにくく機銘板１０２６の表面の印刷部分を保護する上で有利である。この場合、位置決め凸部１０３０は機銘板１０２６の表面と同一面上か、機銘板１０２６の表面よりもケース１０の外側に位置するように設けられていればよい。
【００２０】
また、ケース１００の端面１０２２の位置を基準として、前記長さ方向Ｌに沿って設けられている各凸部１０１８の位置（あるいは各凸部１０１８の有無あるいは各凸部１０１８の数）に基づいてバッテリー装置１００が正規なものであるか否かを判別することもできる。
例えば、図１３に示すように、ケース１００の端面１０２２を基準とする各凸部１０１８の前記長さ方向Ｌに沿った位置を検知するマイクロスイッチなどからなるセンサ３０２、３０４をバッテリー収容室２０に設ける。そして、各センサ３０２、３０４からの検知信号に基づいて各凸部１０１８の位置が正しい位置にあるか否かを判別する判別回路３０６を設ける。
このような構成によれば、判別回路３０６の判別結果に基づいてバッテリー装置１００が正規品と認識された場合のみバッテリー装置１００からの電源供給を許可し、そうでなければバッテリー装置１００からの電源供給を禁止することができ、正規品でないバッテリー装置１００の使用を未然に防止することが可能となる。
また、前述したバッテリー装置１００の識別データを、前記長さ方向Ｌに沿って設けられている各凸部１０１８の位置、あるいは、各凸部１０１８の有無、あるいは、各凸部１０１８の数によって示すことも可能である。
例えば、図９に示した構成によれば、２つのセンサ３０２，３０４のオン、オフの組み合わせによって４種類の識別データを表すことができる。したがって、バッテリー装置１００のケース１０の幅方向の両側に設けられた合計４つの凸部１０１８の位置を検知できるように４つのセンサを設ければ、８通りの識別情報を得ることができることは無論である。
また、センサとして端面１０２２を基準とする各凸部１０１８の前記長さ方向の位置を測定できるものを用いれば、センサによって検知できる識別データの種類をさらに増やすことができることは無論である。
また、バッテリー装置１００が装着される電子機器がバッテリー装置１００に対して充電を行なう充電器であった場合には、該充電器に上述したセンサ３０２、３０４と同様なセンサを１つあるいは複数設け、該センサによりバッテリー装置１００の装着の有無を検知し、該検知動作に応じてバッテリー装置１００に対する充電動作を開始するようにしてもよい。
また、前記センサによって凸部１０１８の位置を判別することでバッテリー装置１００の特性（適切な充電電流の値、あるいは、急速充電が可能か否かなど）を充電器側で判断させることも可能である。
また、図１に示すように、機銘板１０２６の表面と底面１００８は同一面上か、機銘板１０２６の表面が底面１００８よりもケース１０の内側に位置するように構成されるとともに、底面１００８と同じ面をなす位置決め凸部１０３０が機銘板１０２６の位置決め溝１０２７に挿入されているので、バッテリー装置１００をバッテリー装着部３０に対して着脱することで、バッテリー装置１００の底面１００８とバッテリー装着部３０の装着面３００２とが摩擦しても、機銘板１０２６の表面が損傷や汚損を受けにくく機銘板１０２６の表記を保護する上で有利である。
【００２１】
次に本実施例の効果について説明する。
本実施例のバッテリー装置１００および撮像装置２００によれば、バッテリー装置１００のケース１０の底面１００８をバッテリー装着部３０の装着面３００２に合わせケース１００の長さ方向Ｌに該ケース１０をスライドさせることで、合計６つの係止片１０１２を６つの係止爪３００４に係止させることができる。
これによりバッテリー装置１００のバッテリー装着部３０での保持を確実に行ないつつ、係止片１０１２および係止爪３００４の互いに係止する部分の長さ方向Ｌの寸法を短縮することができ、したがって、バッテリー装置１００のスライドストロークを短縮し、バッテリー装置１００のバッテリー装着部３０への装着を容易に行なう上で有利となる。
【００２２】
また、図１４に示すように、バッテリー装置１００が傾斜した状態でバッテリー装着部３０に装着されようとした場合には、バッテリー側端子１４が位置するケース１００の端部寄りに設けられた係止片１０１２Ａが、装着部側端子３２寄りに位置する係止爪３００４Ａに係止するものの、前記係止片１０１２Ａに近づいた箇所に設けられた係止片１０１２Ｂが係止爪３００４Ｂに当接されることでバッテリー装置１００が装着面３００２となす傾斜角度、すなわちバッテリー装置１００のケース１０の底面１００８とバッテリー装着部３０の装着面３００２がなす角度が大きなものとなる。
したがって、バッテリー装置１００の装着状態が不完全なものであることを瞬時に判別でき、バッテリー装置１００を確実に装着する上で有利である。
本実施例では、係止片１０１２Ｂを、装着部側端子３２寄りに位置する係止爪３００４Ａに近づけて配置したので、バッテリー装置１００の装着状態が不完全である場合の装着面３００２に対するバッテリー装置１００の傾きが大きくなり、バッテリー装置１００の装着状態が不完全なものであることがより一層簡単に判別できる。
なお、装着面３００２に対するバッテリー装置１００の角度が１０度以上あると、バッテリー装置１００の傾斜を瞬時に判別できる。
また、図１０において、撮像装置２００の係止爪３００４のうち、装着部側端子３２寄りの係止爪３００４Ａの長さ方向の寸法を他の２つの係止爪３００４Ｂ、３００４Ｃの長さ方向の寸法よりも小さく設定することによって次のような効果を奏することができる。
すなわち、バッテリー装置１００のバッテリー装着部３０に対する装着が不完全であった場合、すなわち、バッテリー側端子１４が位置するケース１００の端部寄りに設けられた係止片１０１２Ａが、装着部側端子３２寄りに位置する係止爪３００４Ａに係止するものの、他の２つの係止片１０１２Ｂ、１０１２Ｃが係止爪３００４Ｂ、３００４Ｃに係止しない状態であった場合、バッテリー装置１００の自重によりバッテリー装置２００が装着面３００２から離間する方向に傾斜するが、この傾斜角度は装着部側端子３２寄りの係止爪３００４Ａの長さ方向の寸法を短く設定するほど顕著になる。これにより、上述と同様に、バッテリー装置１００の装着状態が不完全である場合の装着面３００２に対するバッテリー装置１００の傾きが大きくなり、バッテリー装置１００の装着状態が不完全なものであることがより一層簡単に判別できる。
【００２３】
また、本実施例によるバッテリー装置１００は次のように構成されているということもできる。
すなわち、バッテリー装置１００はケース１０を有している。ケース１０は、その長さ方向Ｌの両端に位置する２つの端面１０２２，１０３２と、これら２つの端面１０２２，１０３２を接続する側面１００６とを有し、２つの端面１０２２，１０３２のうちの一方の端面１０２２と該端面１０２２に接続された側面１００６との少なくとも一方に臨むようにバッテリー側端子１０１４が設けられている。側面１００６には、複数の凹部１０１０からなる前記長さ方向Ｌに延在する誤挿入防止用溝が形成され、前記長さ方向Ｌのうちバッテリー側端子１０１４側を前方、その反対方向を後方とした場合、前記誤挿入防止用溝はその長さ方向Ｌの両端のうちバッテリー側端子１０１４寄りの箇所（前端箇所）が開放され、その反対側の箇所（後端箇所）が閉塞されている。そして、前記誤挿入防止用溝にはケース１０の外方に膨出する１つの凸部１０１８が形成されているか、あるいは、２つ以上の凸部１０１８が前記長さ方向Ｌに間隔をおいて形成されている。
このような構成によれば、図１３において説明したように、凸部１０１８の長さ方向Ｌの位置、あるいは、凸部１０１８の有無、あるいは、凸部１０１８の数などによってバッテリー装置１００の識別データを示すことができる。この場合、凸部１０１８はケース１０の外方に膨出しているため、ケース１０内部のスペースを占有することが無く、ケース１０の内部に部品収容用のスペースを確保する上で、あるいは、ケース１０の小型化を図る上で有利となり、バッテリー装置１００の設計の自由度を向上させる上でも有利となる。
また、本実施例のバッテリー装置１００は、ケース１０を幅方向Ｗで挟み互いに対向する２つの側面１００６箇所のそれぞれに前記誤挿入防止用溝を設けている。この場合、２つの誤挿入防止用溝を各溝に対応する突起に係合させることで前記厚さ方向Ｈにおける前記ケースの位置を位置決めでき、前記誤挿入防止用溝を位置決め用の溝として機能させることができる。
このような構成によれば、バッテリー装置１００が前記長さ方向Ｌに沿って挿入されることで該バッテリー装置１００を収容するバッテリー収容室を設けた場合、該バッテリー収容室内に前記各突起を設け、これら各突起に前記２つの誤挿入防止用溝を係合させることで前記厚さ方向Ｈの寸法が異なるバッテリー装置を前記バッテリー収容室内で位置決めして収容することができる。
また、本実施例のバッテリー装置１００は、複数の係止片１０１２（１０１２Ａ，１０１２Ｂ、１０１２Ｃ）と、これら複数の係止片１０１２（１０１２Ａ，１０１２Ｂ、１０１２Ｃ）のそれぞれに臨む側面１０１６箇所と、これら複数の係止片１０１２（１０１２Ａ，１０１２Ｂ、１０１２Ｃ）のそれぞれに臨む面１０１４の箇所とによって複数の凹部１０１０が形成されており、これら複数の凹部１０１０により前記誤挿入防止用溝を構成することができる。
また、本実施例のバッテリー装置１００は、複数の係止片１０１２（１０１２Ａ，１０１２Ｂ、１０１２Ｃ）のそれぞれに接続して凸部１０１８が設けられており、各凸部１０１８が複数の係止片１０１２（１０１２Ａ，１０１２Ｂ、１０１２Ｃ）のそれぞれに接続されている箇所は、前記長さ方向Ｌのうち、バッテリー装置１００をバッテリー装着部３０に装着する際にバッテリー装置１００を動かす（スライドさせる）方向寄りの箇所（バッテリー側端子寄りの箇所）である。
このような構成によれば、これら各係止片１０１２（１０１２Ａ，１０１２Ｂ、１０１２Ｃ）と、複数の係止爪３００４（３００４Ａ、３００４Ｂ、３００４Ｃ）とを係脱する際に、係止片１０１２Ａと係止爪３００４Ａとの間、係止片１０１２Ｂと係止爪３００４Ｂの間、係止片１０１２Ｃと係止爪３００４Ｃとの間に、前記長さ方向Ｌにおける間隔がそれぞれ確保されることになる。このため、複数の係止片１０１２（１０１２Ａ，１０１２Ｂ、１０１２Ｃ）と、複数の係止爪３００４（３００４Ａ、３００４Ｂ、３００４Ｃ）とが互いに係脱する際、各係止爪３００４と各凸部１０１８との干渉が生じにくく、バッテリー装置１００の装着、取り外しを円滑に行う上で有利となる。
【００２４】
なお、本実施例においては、電子機器として撮像装置を例示したが、本発明はバッテリー装置を充電する充電器、およびバッテリー装置を用いて動作する種々の電子機器に無論適用可能である。
【図面の簡単な説明】
【００２５】
【図１】実施例１のバッテリー装置を下方から見た斜視図である。
【図２】実施例１のバッテリー装置の構成を示す分解斜視図である。
【図３】バッテリー装置１００の説明図である。
【図４】バッテリー装置１００の説明図である。
【図５】図３の要部拡大図である。
【図６】識別部１０３６近傍の拡大斜視図である。
【図７】バッテリー装置１００が外付けされる撮像装置２００の斜視図である。
【図８】撮像装置２００のバッテリー装着部の拡大図である。
【図９】バッテリー装置１００が取着された状態を示す撮像装置２００の斜視図である。
【図１０】バッテリー装置１００とバッテリー装着部との取付け説明図である。
【図１１】バッテリー装置１００とバッテリー装着部３０の取付状態を示す説明図である。
【図１２】ロック機構の説明図である。
【図１３】凸部１０１８の判別回路を示すブロック図である。
【図１４】バッテリー装置１００がバッテリー装着部３０に対して傾斜して装着される状態を示す説明図である。
【符号の説明】
【００２６】
１００……バッテリー装置、１０……ケース、１２……充電池部、１４……バッテリー側端子、１０１０……凹部、１０１２……係止片、２００……撮像装置、３０……装着部、３２……装着部側端子、３００２……装着面、３００４……係止爪。
【図１】
2008153241.tif 000003
【図２】
2008153241.tif 000004
【図３】
2008153241.tif 000005
【図４】
2008153241.tif 000006
【図５】
2008153241.tif 000007
【図６】
2008153241.tif 000008
【図７】
2008153241.tif 000009
【図８】
2008153241.tif 000010
【図９】
2008153241.tif 000011
【図１０】
2008153241.tif 000012
【図１１】
2008153241.tif 000013
【図１２】
2008153241.tif 000014
【図１３】
2008153241.tif 000015
【図１４】
2008153241.tif 000016
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
幅と厚さと長さを有するケースと、
前記ケースの内部に設けられた充電池部と、
前記ケースの表面に設けられ前記充電池部に接続されたバッテリー側端子とを備え、
電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、
前記ケースの幅方向の両側箇所には、前記幅方向の外方に突出しつつ前記長さ方向に延在し前記ケースの底面を前記装着面に合わせ前記ケースの長さ方向に該ケースをスライドさせることで前記バッテリー装着部の係止爪に係止し前記バッテリー装着部において前記ケースの厚さ方向における位置を位置決めする係止片が前記長さ方向に間隔をおいて複数設けられ、
前記長さ方向において前記バッテリー側端子と反対側に位置する前記ケースの端部には、前記底面の部分が切り落とされ前記長さ方向および前記厚さ方向に開放状の欠部が形成されている、
ことを特徴とするバッテリー装置。
【請求項２】
前記係止片は、前記ケースの幅方向の両側箇所で前記長さ方向に間隔をおいて３つ以上設けられ、
前記バッテリー側端子は前記長さ方向における前記ケースの端部に設けられ、前記複数の係止片のうち２つの係止片は、前記ケースの長さ方向の端部寄りの箇所に設けられ、残りの１つの係止片は、前記バッテリー側端子が位置する前記ケースの端部寄りに設けられた係止片に近づいた箇所に設けられていることを特徴とする請求項１記載のバッテリー装置。
【請求項３】
前記バッテリー装着部にバッテリー装置が装着された状態で、前記ケースの底面が前記装着部の装着面に合わされることで前記装着面方向への前記バッテリー装置の動きが規制され、前記係止爪と係止片が係止することで前記装着面から離れる方向への前記バッテリー装置の動きが規制されることを特徴とする請求項１記載のバッテリー装置。
【請求項４】
前記ケースは前記幅方向の寸法が均一で長さ方向に延在する本体部と、前記本体部の幅方向の中央部で厚さ方向の一方に設けられ前記本体部の幅よりも小さい寸法の幅で前記長さ方向に延在する底部とを有し、前記底面は前記底部の面により形成され、前記複数の係止片は前記幅方向両側の前記底面箇所から突出形成され、前記各係止片と、前記幅方向の両側に位置する前記底部の側面と、前記本体部が底部の側面に臨む面とで前記長さ方向に延在する凹部が複数形成され、前記各係止爪は前記各凹部に挿入されることで前記係止片に係止することを特徴とする請求項１記載のバッテリー装置。
【請求項５】
前記複数の係止片のうちの少なくとも２つの係止片が位置する前記底部の側面箇所に、前記幅方向の外方に突出する凸部が設けられ、前記凸部は前記係止片よりも小さい突出寸法で形成され、前記係止爪が前記係止片に係合した状態で、前記係止爪と前記凸部が接触し前記バッテリー装着部においてケースの幅方向におけるバッテリー装置の位置が位置決めされることを特徴とする請求項４記載のバッテリー装置。
【請求項６】
前記複数の凹部のうちの少なくとも一つの凹部には、該凹部の長さ方向の端部を塞ぐストッパ壁が設けられていることを特徴とする請求項４記載のバッテリー装置。
【請求項７】
前記係止片は前記ケースの底面の幅方向の両側部に設けられていることを特徴とする請求項１記載のバッテリー装置。
【手続補正２】
【補正対象書類名】明細書
【補正対象項目名】全文
【補正方法】変更
【補正の内容】
【発明の詳細な説明】
【技術分野】
【０００１】
本発明はバッテリー装置に関する。
【背景技術】
【０００２】
電子機器に装着されるバッテリー装置として、幅と厚さと長さを有するケースと、前記ケースの内部に設けられた充電池部と、前記ケースの表面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるように構成されたものが提供されている（例えば特許文献１参照）。
このようなバッテリー装置のバッテリー装着部へ装着は、バッテリー装置のケースおよびバッテリー装着部のそれぞれに設けられた係止部が互いに係止することによってなされている。
【特許文献１】特許公報第２５０８４４７号
【発明の開示】
【発明が解決しようとする課題】
【０００３】
一方、バッテリー装置のバッテリー装着部からの脱落を防止するため、バッテリー装置がバッテリー装着部に装着された状態で、ロック爪をバッテリー装置に係止させることが考えられる。
この場合、単にロック爪を設けたのでは、撮像装置の小型化を図る上で不利となり、また、デザイン性を向上させる上で不利となる。
本発明はこのような事情に鑑みなされたものであり、その目的は、バッテリー装置のバッテリー装着部からの脱落を防止する際の撮像装置の小型化を図る上で有利となり、また、デザイン性を向上させる上で有利なバッテリー装置を提供することにある。
【課題を解決するための手段】
【０００４】
上述の目的を達成するため、本発明のバッテリー装置は、幅と厚さと長さを有するケースと、前記ケースの内部に設けられた充電池部と、前記ケースの表面に設けられ前記充電池部に接続されたバッテリー側端子とを備え、電子機器のバッテリー装着部の装着面に前記ケースの厚さ方向の一方に位置する底面を合わせ前記ケースの長さ方向に該ケースをスライドさせることで装着され前記バッテリー側端子が前記バッテリー装着部の装着部側端子に接触されるバッテリー装置であって、前記ケースの幅方向の両側箇所には、前記幅方向の外方に突出しつつ前記長さ方向に延在し前記ケースの底面を前記装着面に合わせ前記ケースの長さ方向に該ケースをスライドさせることで前記バッテリー装着部の係止爪に係止し前記バッテリー装着部において前記ケースの厚さ方向における位置を位置決めする係止片が前記長さ方向に間隔をおいて複数設けられ、前記長さ方向において前記バッテリー側端子と反対側に位置する前記ケースの端部には、前記底面の部分が切り落とされ前記長さ方向および前記厚さ方向に開放状の欠部が形成されていることを特徴とする。
【発明の効果】
【０００５】
本発明のバッテリー装置によれば、欠部にロック爪を位置させてバッテリー装置のバッテリー装着部からの脱落を防止できる。
したがって、バッテリー装置のバッテリー装着部からの脱落を防止する際の撮像装置の小型化を図る上で有利となり、また、デザイン性を向上させる上で有利なバッテリー装置が得られる。
【発明を実施するための最良の形態】
【０００６】
以下、本発明の実施の形態を図面を参照して説明する。
【実施例１】
【０００７】
次に本発明の実施例１について図面を参照して説明する。
本実施例では、本発明のバッテリー装置が電子機器としての撮像装置に装着されて使用される場合について説明する。
図１は実施例１のバッテリー装置を下方から見た斜視図、図２は実施例１のバッテリー装置の構成を示す分解斜視図である。
【０００８】
まず、バッテリー装置について説明する。
図１に示すように、バッテリー装置１００は、ケース１０と、ケース１０の内部に設けられた充電池部１２（図２参照）と、ケース１０の内部に設けられた制御回路基板１６と、ケース１０に設けられたバッテリー側端子１４とを備えている。
【０００９】
図２に示すように、充電池部１２は、４つの円柱状の電池セル１２０２と、これら各電池セル１２０２の電極を接続する複数の配線部材１２０４と、各電池セル１２０２の側面の間に介在される保持部材１２０６とを有している。
制御回路基板１６は、各電池セル１２０２の電極と配線部材１２０４を介して接続されることで充電池部１２に取着されており、ＣＰＵ、ＲＡＭおよびＲＯＭ、インターフェースなどを含むマイクロコンピュータを有し、バッテリー側端子１４を介して外部の電子機器との間でデータ通信を行なうように構成されている。前記データ通信としては該バッテリー装置１４の容量や特性を示す識別データの出力動作が含まれる。該識別データとしては、例えば、充電器に装着したときに急速充電が可能であるか否かを示すデータ、適正な充電電流の値、あるいは充電電流の上限値などを示すデータなどがある。
バッテリー側端子１４はケース１０の表面に設けられ、ケース１０の内部において制御回路基板１６に取着され各配線部材１２０４を介して電池セル１２０２の電極に導通され、該バッテリー端子１４を介して各電池セル１２０２から外部の電子機器に対する動作電流の供給、あるいは、充電器から各電池セル１２０２に対する充電電流の供給が行なわれるように構成されている。
なお、充電池部１２を構成する電池セル１２０２の数量および形状はバッテリー装置１００の容量や特性によって異なることは勿論である。
【００１０】
次にケース１０の構成について詳細に説明する。
図３（Ａ）はバッテリー装置１００の平面図、（Ｂ）は（Ａ）のＢ矢視図、（Ｃ）は（Ａ）のＣ矢視図、（Ｄ）は（Ａ）のＤ矢視図、（Ｅ）は（Ｂ）のＥＥ線断面図である。図４（Ａ）はバッテリー装置１００の底面図、（Ｂ）は（Ａ）のＢ矢視図、（Ｃ）は（Ｂ）のＣＣ線断面図である。図５は図３（Ｃ）のＦ部拡大図、図６は識別部１０３６近傍の拡大斜視図である。
ケース１０は、幅方向Ｗの寸法が均一で長さ方向Ｌに延在する本体部１００２と、本体部１００２の幅方向Ｗの中央部で厚さ方向Ｈの一方に設けられ本体部１００２の幅よりも小さい寸法の均一幅で長さ方向Ｌに延在する底部１００４とを有している。
本実施例では、ケース１０は、本体部１００２の底部１００４寄り箇所および底部１００４を除いた第１の分割体と、本体部１００２の底部１００４寄り箇所および底部１００４を含む第２の分割体とで構成され、これら分割体が合わせ面１００５で合わされることで形成され、充電池部１２や制御回路基板１６はこれら分割体の内部に収容されている。
【００１１】
図２、図３、図４に示すように、ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。本実施例では、本体部１００２の幅方向Ｗの両側の側面が前記側面１００６を構成し、底部１００４の底面が前記底面１００８を構成している。
幅方向Ｗ両側の底面１００８箇所には複数の係止片１０１２が、本実施例では３つの係止片１０１２Ａ、１０１２Ｂ、１０１２Ｃが長さ方向Ｌに間隔をおいて幅方向Ｗ外側に向かってそれぞれ突出形成されている。厚さ方向Ｈの一方の端部に位置する各係止片１０１２（１０１２Ａ、１０１２Ｂ、１０１２Ｃ）箇所は、底面１００８と同一面上に位置する底面として形成され、厚さ方向Ｈの他方の端部に位置する各係止片１０１２（１０１２Ａ、１０１２Ｂ、１０１２Ｃ）箇所は底面１００８と平行する同一面上に位置するように形成されている。
そして、このように３つの係止片１０１２（１０１２Ａ、１０１２Ｂ、１０１２Ｃ）が設けられることで、各係止片１０１２（１０１２Ａ、１０１２Ｂ、１０１２Ｃ）と、幅方向Ｗの両側に位置する底部１００４の側面１０１６と、本体部１００２が底部１００４に臨む面１０１４とにより長さ方向Ｌに延在する凹部１０１０が幅方向Ｗ両側の底面１００８箇所にそれぞれ３つ形成されている。
これらの係止片１０１２（１０１２Ａ、１０１２Ｂ、１０１２Ｃ）は、ケース１０の底面１００８を電子機器のバッテリー装着部の装着面に合わせケース１０の長さ方向Ｌに該ケース１０をスライドさせることでバッテリー装着部の係止爪に係止しバッテリー装着部においてケース１０の厚さ方向Ｈにおける位置を位置決めするように形成されている。
バッテリー側端子１４は、底面１００８の箇所で長さ方向Ｌの一端に設けられている。
３つの係止片１０１２（１０１２Ａ、１０１２Ｂ、１０１２Ｃ）のうち２つの係止片１０１２Ａ、１０１２Ｃは、ケース１０の長さ方向Ｌの端部寄りの箇所に設けられ、残りの１つの係止片１０１２Ｂは、バッテリー側端子１４が位置するケース１０の端部寄りに設けられた係止片１０１２Ａに近づいた箇所に設けられている。
【００１２】
本実施例では、２つの係止片１０１２Ａ、１０１２Ｂに対応する底部１００４の側面１０１６箇所に、該側面１０１６から幅方向Ｗの外方に突出する２つの凸部１０１８がそれぞれ設けられ、２つの凸部１０１８は係止片１０１２Ａ、１０１２Ｂよりも小さい突出寸法で形成されている。
２つの凸部１０１８のうち、一方の凸部１０１８によって、係止片１０１２Ａと、本体部１００２が底部１００４に臨む面１０１４と、幅方向Ｗの両側に位置する底部１００４の側面１０１６とが互いに接続され、他方の凸部１０１８によって、係止片１０１２Ｂと、面１０１４と、側面１０１６とが互いに接続されていることから、これら２つの凸部１０１８によって係止片１０１２Ａ、１０１２Ｂの機械的強度を向上する上で有利となっている。
また、残りの１つの係止片１０１２Ｃに対応する底部１００４の側面１０１６箇所でバッテリー側端子１４が設けられた箇所とは反対側の箇所に、凹部１０１０の長さ方向Ｌの端部を塞ぐストッパ壁１０２０が設けられている。ストッパ壁１０２０は、バッテリー装置１００のバッテリー装着部への装着の際、バッテリー装置１００の長さ方向の向きが正規の向きでない場合に、バッテリー装着部の係止爪に当たりバッテリー装置１００の誤った向きでの装着を阻止するものである。
ストッパ壁１０２０により、係止片１０１２Ｃと、面１０１４と、側面１０１６とが互いに接続されていることから、ストッパ壁１０２０によって係止片１０１２Ｃの機械的強度を向上する上で有利となっている。
【００１３】
また、本実施例では、図１に示すように、ケース１０の長さ方向Ｌの両端の端面のうちバッテリー側端子１４が設けられた側の本体部１００２および底部１００４の端面は底面１００８と直交する平坦な端面１０２２として形成されている。そして、この端面１０２２のバッテリー側端子１４から厚さ方向Ｈに離れた箇所に、厚さ方向Ｈの寸法が均一で、かつ、幅方向Ｗに直線状に延在する凸部１０２４が膨出形成されている。凸部１０２４は、バッテリー側端子１４に対応した箇所でバッテリー側端子１４の少なくとも電極が配置されている部分の長さＸ１よりも大きな寸法の長さＸ２で形成されている。
また、図１に示すように、底面１００８には凹部１０２８が形成され、機銘板１０２６がこの凹部１０２８に貼付され、機銘板１０２６の表面と底面１００８は同一面上か、機銘板１０２６の表面が底面１００８よりもケース１０の内側に位置するように構成されている。凹部１０２８の長さ方向Ｌのうちバッテリー側端子１４と反対側に位置する箇所から長さ方向Ｌに沿って底面１００８と同じ面をなす位置決め凸部１０３０が形成され、この凸部１０３０は機銘板１０２６の位置決め溝１０２７に挿入されている。
また、図４（Ａ）、（Ｂ）に示すように、ケース１０の長さ方向Ｌの両端の端面のうちバッテリー側端子１４と反対側に位置する本体部１００２の端面は底面１００８と直交する平坦な端面１０３２として形成され、バッテリー側端子１４と反対側に位置する底部１００４の端面は前記端面１０３２よりもケース１０の内側に変位した箇所で該端面１０３２と平行する平坦な端面１０３４として形成されている。したがって、ケース１０の長さ方向Ｌでバッテリー側端子１４と反対側に位置する端部の本体部１００２と底部１００４の境の部分にはこれら端面１０３２、１０３４により欠部１０３５が形成されている。言い換えると、長さ方向においてバッテリー側端子１４と反対側に位置するケース１０の端部には、底面１００８の部分が切り落とされ長さ方向および厚さ方向に開放状の欠部１０３５が形成されている。
また、図１、図５、図６に示すように、バッテリー側端子１４を幅方向Ｗで挟む底部１００４の底面１００８の両側箇所には２つの識別部１０３６が形成されている。これら識別部１０３６は、厚さ方向Ｈおよび長さ方向Ｌに開放された凹部１０３８として形成され、あるいは、厚さ方向Ｈに開放されかつ長さ方向Ｌに閉塞された凹部１０４０として形成される。識別部１０３６は、電子機器側に設けられた識別手段によって識別され、その識別は、凹部１０３８、１０４０の形状や凹部１０３８の長さ方向Ｌの寸法に基づいてなされる。
なお、凹部１０３８を構成する面のうち、凹部１０１０に近接している面部分を傾斜面１０４２とすることで、凹部１０１０と凹部１０３８との間の肉厚寸法を確保し係止片１０１２Ａの機械的強度を確保している。
【００１４】
次に撮像装置２００について説明する。
図７はバッテリー装置１００が外付けされる撮像装置２００の斜視図、図８は撮像装置２００のバッテリー装着部の拡大図、図９はバッテリー装置１００が取着された状態を示す撮像装置２００の斜視図である。
図７に示すように、撮像装置２００はケース２４と、ケース２４の前部に組み込まれた光学系２６と、該光学系２６で捉えた被写体像を撮像する不図示の撮像素子と、撮像素子で撮像された画像を表示する液晶表示部２８と、撮像素子で撮像された画像を記録媒体に記録および／または再生する不図示の記録再生部と、前記撮像素子、液晶表示部２８、記録再生部に電源を供給するバッテリー装置１００などを含んで構成されている。
ケース２４の後部には、バッテリー装置１００が着脱可能に装着されるバッテリー装着部３０が設けられている。
バッテリー装着部３０は、平坦な装着面３００２と、装着面３００２に設けられた複数の係止爪３００４（３００４Ａ、３００４Ｂ、３００４Ｃ）と、バッテリー側端子１４に接触可能な装着部側端子３２と、装着面３００２に設けられた係合凸部３４とを有している。
装着面３００２は、バッテリー装置１００のケース１０の底面１００８の幅に対応した幅と、底面１００８の長さよりも大きな寸法の長さを有し、装着面３００２の周囲から側面３００８が起立されている。
装着部側端子３２は載置面３００２の長さ方向における光学系２６とは反対側の端部に設けられている。
係合凸部３４は装着面３００２の長手方向で装着部側端子３２とは反対側の箇所に、装着面３００２に対して出没可能に設けられ、載置面３００２から突出する方向に常時付勢され、不図示のロック解除ボタンの操作により載置面３００２の下方に没入するように構成されている。
【００１５】
係止爪３００４（３００４Ａ、３００４Ｂ、３００４Ｃ）はバッテリー装置１００の係止片１０１２に対応した数で設けられ、本実施例では装着面３００２の幅方向の両側箇所にそれぞれ３つずつ設けられ、係止片１０１２（１０１２Ａ、１０１２Ｂ、１０１２Ｃ）に係止可能に形成されている。
各係止爪３００４（３００４Ａ、３００４Ｂ、３００４Ｃ）は、図１０に示すように、載置面３００２から起立する縦壁３００４Ｅと、縦壁３００４Ｅの先端から載置面３００２に平行するように突出する横壁３００４Ｆとを備えている。
３つの係止爪３００４（３００４Ａ、３００４Ｂ、３００４Ｃ）のうち２つの係止爪３００４Ａ、３００４Ｃは、装着面３００２の長さ方向の端部寄りの箇所に設けられ、残りの１つの係止爪３００４Ｂは、装着部側端子３２が位置する装着面３００２の端部寄りに設けられた係止爪３００４Ａに近づいた箇所に設けられている。
【００１６】
そして、ケース１０の幅方向Ｗ及び長さ方向Ｌを装着面３００２の幅方向及び長さ方向に一致させ、バッテリー装置１００のバッテリー側端子１４をバッテリー装着部３０の装着部側端子３２に臨ませるとともに、バッテリー装置１０の底面１００８をバッテリー装着部３０の装着面３００２に臨ませ、バッテリー装置１００の各係止片１０１２（１０１２Ａ、１０１２Ｂ、１０１２Ｃ）が、各係止爪３００４（３００４Ａ、３００４Ｂ、３００４Ｃ）に対して前記長さ方向Ｌに沿ってそれぞれ離間した位置とし、この状態で、バッテリー装置１０の底面１００８をバッテリー装着部３０の装着面３００２に当て付け、バッテリー装置１００をケースの長さ方向でバッテリー側端子１４が装着部側端子３２に近接させる方向にスライドさせる。
これにより、複数の係止爪３００４が対応する凹部１０１０に挿入されて係止片１０１２に係止し、ケース１０の底面１００８が装着面３００２に合わされることで装着面３００２方向へのバッテリー装置１００の動きが規制され、係止爪３００４と係止片１０１２が係止することで装着面３００２から離れる方向へのバッテリー装置１００の動きが規制されるように構成されている。この場合、係止爪３００４と係止片１０１２が係合することで、バッテリー装置１００の装着面３００２方向への動きおよび装着面３００２から離れる方向への動きの双方を規制するようにしてもよい。
【００１７】
バッテリー装置１００は、係止爪３００４と係止片１０１２が係止した状態でケース１０の長さ方向Ｌの２つの端面のうちバッテリー側端子１４側の端面１０２２がバッテリー装着部３０の側面３００８に当接し、係合凸部３４がバッテリー装置１００の欠部１０３５に係合することでケース１０の長手方向の動きが規制され、これによりバッテリー装着部３０におけるバッテリー装置１００の装着状態が得られ、バッテリー装置１００が保持されることになる。
本実施例では、係止爪３００４と係止片１０１２が係止した状態で係止爪３００４の先端と凸部１０１８の先端とが接触し前記幅方向Ｗにおけるバッテリー装置１００の動きが規制されている。この場合、係止爪３００４の先端と凸部１０１８の先端とを接触させずに、バッテリー装置１００のケース１０の側面１００６をバッテリー装着部３０の側面３００８に接触させるなどその他のバッテリー装置１００の箇所とバッテリー装着部３０の箇所を接触させることで前記幅方向Ｗにおけるバッテリー装置１００の動きを規制するようにしてもよい。
そして、バッテリー装置１００がバッテリー装着部３０に装着されることで、バッテリー装置１００のバッテリー側端子１４とバッテリー装着部３０の装着部側端子３２とが接触する。
【００１８】
このようにバッテリー装置１００がバッテリー装着部３０に装着されると、図１１に示すように、バッテリー装置１００のバッテリー側端子１４側の端面１０２２と、該端面１０２２に対向する撮像装置２００のケース２４箇所（凹部３００６の側面３００８）との間に隙間が形成されることがある。
この場合、凹部３００６の側面３００８に凹溝３０１０を形成しておき、この凹溝にバッテリー装置１００の凸部１０２４を挿入することで前記隙間を凸部１０２４により遮断できる。このため、前記隙間部分から例えば導電性を有する異物などが侵入してバッテリー側端子１４と装着部側端子３２との接続部分に接触することを確実に防止する上で有利となる。
【００１９】
また、図１２に示すように、バッテリー装着部３０に装着された状態のバッテリー装置１００の欠部１０３５に対して接離する方向にスライドし、該欠部１０３５に接近する方向にばねなどの付勢部材により常時付勢されたロック爪２００８をケース２４に設け、該ロック爪２００８が欠部１０３５に係合することでバッテリー装置１００のバッテリー装着部３０からの脱落を防止し、バッテリー装置１００の欠部１０３５とロック爪２００８の係合を解除することで、バッテリー装置１００のバッテリー装着部３０からの取り外しが可能となるように構成することもできる。
この場合、バッテリー装置１００はその欠部１０３５が端面１０３２よりもバッテリー装置１００の内側に変位しているため、ロック爪２００８は、ケース２４の外面よりもケース２４の内側に変位した箇所に設けることができ、撮像装置２００のケース２４の外面から外方に突出させることなくロック爪２００８を構成することができる。したがって、撮像装置２００の小型化を図るとともに、デザイン性を向上させる上で有利となる。
また、この場合、ロック爪２００８の欠部１０３５に係合する箇所が常時バッテリー装置１００の底面１００８に接近する方向に付勢されているため、バッテリー装置１００をバッテリー装着部３０に装着する際、あるいは、バッテリー装置１００をバッテリー装着部３０から取り外す際、バッテリー装置１００の底面１００８を装着面３００６に沿ってスライドさせると、前記付勢によって底面１００８向きに突出するロック爪２００８の先端が底面１００８に貼着された機銘板１０２６などのラベル表面に当接し、摩擦により機銘板１０２６などの表面の印刷部分が擦れて消えてしまうおそれがある。
この場合、ロック爪２００８を、その先端が位置決め凸部１０３０に当接するように配設すれば、ロック爪２００８の先端が位置決め凸部１０３０の部分に当接し機銘板１０２６の表面には当接しないので、機銘板１０２６の表面が損傷や汚損を受けにくく機銘板１０２６の表面の印刷部分を保護する上で有利である。この場合、位置決め凸部１０３０は機銘板１０２６の表面と同一面上か、機銘板１０２６の表面よりもケース１０の外側に位置するように設けられていればよい。
【００２０】
また、ケース１００の端面１０２２の位置を基準として、前記長さ方向Ｌに沿って設けられている各凸部１０１８の位置（あるいは各凸部１０１８の有無あるいは各凸部１０１８の数）に基づいてバッテリー装置１００が正規なものであるか否かを判別することもできる。
例えば、図１３に示すように、ケース１００の端面１０２２を基準とする各凸部１０１８の前記長さ方向Ｌに沿った位置を検知するマイクロスイッチなどからなるセンサ３０２、３０４をバッテリー収容室２０に設ける。そして、各センサ３０２、３０４からの検知信号に基づいて各凸部１０１８の位置が正しい位置にあるか否かを判別する判別回路３０６を設ける。
このような構成によれば、判別回路３０６の判別結果に基づいてバッテリー装置１００が正規品と認識された場合のみバッテリー装置１００からの電源供給を許可し、そうでなければバッテリー装置１００からの電源供給を禁止することができ、正規品でないバッテリー装置１００の使用を未然に防止することが可能となる。
また、前述したバッテリー装置１００の識別データを、前記長さ方向Ｌに沿って設けられている各凸部１０１８の位置、あるいは、各凸部１０１８の有無、あるいは、各凸部１０１８の数によって示すことも可能である。
例えば、図１２に示した構成によれば、２つのセンサ３０２，３０４のオン、オフの組み合わせによって４種類の識別データを表すことができる。したがって、バッテリー装置１００のケース１０の幅方向の両側に設けられた合計４つの凸部１０１８の位置を検知できるように４つのセンサを設ければ、８通りの識別情報を得ることができることは無論である。
また、センサとして端面１０２２を基準とする各凸部１０１８の前記長さ方向の位置を測定できるものを用いれば、センサによって検知できる識別データの種類をさらに増やすことができることは無論である。
また、バッテリー装置１００が装着される電子機器がバッテリー装置１００に対して充電を行なう充電器であった場合には、該充電器に上述したセンサ３０２、３０４と同様なセンサを１つあるいは複数設け、該センサによりバッテリー装置１００の装着の有無を検知し、該検知動作に応じてバッテリー装置１００に対する充電動作を開始するようにしてもよい。
また、前記センサによって凸部１０１８の位置を判別することでバッテリー装置１００の特性（適切な充電電流の値、あるいは、急速充電が可能か否かなど）を充電器側で判断させることも可能である。
また、図１に示すように、機銘板１０２６の表面と底面１００８は同一面上か、機銘板１０２６の表面が底面１００８よりもケース１０の内側に位置するように構成されるとともに、底面１００８と同じ面をなす位置決め凸部１０３０が機銘板１０２６の位置決め溝１０２７に挿入されているので、バッテリー装置１００をバッテリー装着部３０に対して着脱することで、バッテリー装置１００の底面１００８とバッテリー装着部３０の装着面３００２とが摩擦しても、機銘板１０２６の表面が損傷や汚損を受けにくく機銘板１０２６の表記を保護する上で有利である。
【００２１】
本実施例のバッテリー装置１００および撮像装置２００によれば、バッテリー装置１００のケース１０の底面１００８をバッテリー装着部３０の装着面３００２に合わせケース１００の長さ方向Ｌに該ケース１０をスライドさせることで、合計６つの係止片１０１２を６つの係止爪３００４に係止させることができる。
これによりバッテリー装置１００のバッテリー装着部３０での保持を確実に行ないつつ、係止片１０１２および係止爪３００４の互いに係止する部分の長さ方向Ｌの寸法を短縮することができ、したがって、バッテリー装置１００のスライドストロークを短縮し、バッテリー装置１００のバッテリー装着部３０への装着を容易に行なう上で有利となる。
【００２２】
また、図１４に示すように、バッテリー装置１００が傾斜した状態でバッテリー装着部３０に装着されようとした場合には、バッテリー側端子１４が位置するケース１００の端部寄りに設けられた係止片１０１２Ａが、装着部側端子３２寄りに位置する係止爪３００４Ａに係止するものの、前記係止片１０１２Ａに近づいた箇所に設けられた係止片１０１２Ｂが係止爪３００４Ｂに当接されることでバッテリー装置１００が装着面３００２となす傾斜角度、すなわちバッテリー装置１００のケース１０の底面１００８とバッテリー装着部３０の装着面３００２がなす角度が大きなものとなる。
したがって、バッテリー装置１００の装着状態が不完全なものであることを瞬時に判別でき、バッテリー装置１００を確実に装着する上で有利である。
本実施例では、係止片１０１２Ｂを、装着部側端子３２寄りに位置する係止爪３００４Ａに近づけて配置したので、バッテリー装置１００の装着状態が不完全である場合の装着面３００２に対するバッテリー装置１００の傾きが大きくなり、バッテリー装置１００の装着状態が不完全なものであることがより一層簡単に判別できる。
なお、装着面３００２に対するバッテリー装置１００の角度が１０度以上あると、バッテリー装置１００の傾斜を瞬時に判別できる。
また、図１０において、撮像装置２００の係止爪３００４のうち、装着部側端子３２寄りの係止爪３００４Ａの長さ方向の寸法を他の２つの係止爪３００４Ｂ、３００４Ｃの長さ方向の寸法よりも小さく設定することによって次のような効果を奏することができる。
すなわち、バッテリー装置１００のバッテリー装着部３０に対する装着が不完全であった場合、すなわち、バッテリー側端子１４が位置するケース１００の端部寄りに設けられた係止片１０１２Ａが、装着部側端子３２寄りに位置する係止爪３００４Ａに係止するものの、他の２つの係止片１０１２Ｂ、１０１２Ｃが係止爪３００４Ｂ、３００４Ｃに係止しない状態であった場合、バッテリー装置１００の自重によりバッテリー装置２００が装着面３００２から離間する方向に傾斜するが、この傾斜角度は装着部側端子３２寄りの係止爪３００４Ａの長さ方向の寸法を短く設定するほど顕著になる。これにより、上述と同様に、バッテリー装置１００の装着状態が不完全である場合の装着面３００２に対するバッテリー装置１００の傾きが大きくなり、バッテリー装置１００の装着状態が不完全なものであることがより一層簡単に判別できる。
【００２３】
また、本実施例によるバッテリー装置１００は次のように構成されているということもできる。
すなわち、バッテリー装置１００はケース１０を有している。ケース１０は、その長さ方向Ｌの両端に位置する２つの端面１０２２，１０３２と、これら２つの端面１０２２，１０３２を接続する側面１００６とを有し、２つの端面１０２２，１０３２のうちの一方の端面１０２２と該端面１０２２に接続された側面１００６との少なくとも一方に臨むようにバッテリー側端子１４が設けられている。側面１００６には、複数の凹部１０１０からなる前記長さ方向Ｌに延在する誤挿入防止用溝が形成され、前記長さ方向Ｌのうちバッテリー側端子１４側を前方、その反対方向を後方とした場合、前記誤挿入防止用溝はその長さ方向Ｌの両端のうちバッテリー側端子１４寄りの箇所（前端箇所）が開放され、その反対側の箇所（後端箇所）が閉塞されている。そして、前記誤挿入防止用溝にはケース１０の外方に膨出する１つの凸部１０１８が形成されているか、あるいは、２つ以上の凸部１０１８が前記長さ方向Ｌに間隔をおいて形成されている。
このような構成によれば、図１３において説明したように、凸部１０１８の長さ方向Ｌの位置、あるいは、凸部１０１８の有無、あるいは、凸部１０１８の数などによってバッテリー装置１００の識別データを示すことができる。この場合、凸部１０１８はケース１０の外方に膨出しているため、ケース１０内部のスペースを占有することが無く、ケース１０の内部に部品収容用のスペースを確保する上で、あるいは、ケース１０の小型化を図る上で有利となり、バッテリー装置１００の設計の自由度を向上させる上でも有利となる。
また、本実施例のバッテリー装置１００は、ケース１０を幅方向Ｗで挟み互いに対向する２つの側面１００６箇所のそれぞれに前記誤挿入防止用溝を設けている。この場合、２つの誤挿入防止用溝を各溝に対応する突起に係合させることで前記厚さ方向Ｈにおける前記ケースの位置を位置決めでき、前記誤挿入防止用溝を位置決め用の溝として機能させることができる。
このような構成によれば、バッテリー装置１００が前記長さ方向Ｌに沿って挿入されることで該バッテリー装置１００を収容するバッテリー収容室を設けた場合、該バッテリー収容室内に前記各突起を設け、これら各突起に前記２つの誤挿入防止用溝を係合させることで前記厚さ方向Ｈの寸法が異なるバッテリー装置を前記バッテリー収容室内で位置決めして収容することができる。
また、本実施例のバッテリー装置１００は、複数の係止片１０１２（１０１２Ａ，１０１２Ｂ、１０１２Ｃ）と、これら複数の係止片１０１２（１０１２Ａ，１０１２Ｂ、１０１２Ｃ）のそれぞれに臨む側面１０１６箇所と、これら複数の係止片１０１２（１０１２Ａ，１０１２Ｂ、１０１２Ｃ）のそれぞれに臨む面１０１４の箇所とによって複数の凹部１０１０が形成されており、これら複数の凹部１０１０により前記誤挿入防止用溝を構成することができる。
また、本実施例のバッテリー装置１００は、複数の係止片１０１２（１０１２Ａ，１０１２Ｂ、１０１２Ｃ）のそれぞれに接続して凸部１０１８が設けられており、各凸部１０１８が複数の係止片１０１２（１０１２Ａ，１０１２Ｂ、１０１２Ｃ）のそれぞれに接続されている箇所は、前記長さ方向Ｌのうち、バッテリー装置１００をバッテリー装着部３０に装着する際にバッテリー装置１００を動かす（スライドさせる）方向寄りの箇所（バッテリー側端子寄りの箇所）である。
このような構成によれば、これら各係止片１０１２（１０１２Ａ，１０１２Ｂ、１０１２Ｃ）と、複数の係止爪３００４（３００４Ａ、３００４Ｂ、３００４Ｃ）とを係脱する際に、係止片１０１２Ａと係止爪３００４Ａとの間、係止片１０１２Ｂと係止爪３００４Ｂの間、係止片１０１２Ｃと係止爪３００４Ｃとの間に、前記長さ方向Ｌにおける間隔がそれぞれ確保されることになる。このため、複数の係止片１０１２（１０１２Ａ，１０１２Ｂ、１０１２Ｃ）と、複数の係止爪３００４（３００４Ａ、３００４Ｂ、３００４Ｃ）とが互いに係脱する際、各係止爪３００４と各凸部１０１８との干渉が生じにくく、バッテリー装置１００の装着、取り外しを円滑に行う上で有利となる。
【００２４】
なお、本実施例においては、電子機器として撮像装置を例示したが、本発明はバッテリー装置を充電する充電器、およびバッテリー装置を用いて動作する種々の電子機器に無論適用可能である。
【図面の簡単な説明】
【００２５】
【図１】実施例１のバッテリー装置を下方から見た斜視図である。
【図２】実施例１のバッテリー装置の構成を示す分解斜視図である。
【図３】バッテリー装置１００の説明図である。
【図４】バッテリー装置１００の説明図である。
【図５】図３の要部拡大図である。
【図６】識別部１０３６近傍の拡大斜視図である。
【図７】バッテリー装置１００が外付けされる撮像装置２００の斜視図である。
【図８】撮像装置２００のバッテリー装着部の拡大図である。
【図９】バッテリー装置１００が取着された状態を示す撮像装置２００の斜視図である。
【図１０】バッテリー装置１００とバッテリー装着部との取付け説明図である。
【図１１】バッテリー装置１００とバッテリー装着部３０の取付状態を示す説明図である。
【図１２】ロック機構の説明図である。
【図１３】凸部１０１８の判別回路を示すブロック図である。
【図１４】バッテリー装置１００がバッテリー装着部３０に対して傾斜して装着される状態を示す説明図である。
【符号の説明】
【００２６】
１００……バッテリー装置、１０……ケース、１２……充電池部、１４……バッテリー側端子、１０１０……凹部、１０１２……係止片、２００……撮像装置、３０……装着部、３２……装着部側端子、３００２……装着面、３００４……係止爪。